(57)【要約】【課題】ネックレス状の測定装置を用いて生体信号を測定及び提供することができる生体信号測定システム及びこれを用いた健康管理サービス方法を提供する。【解決手段】本発明は、各種生体信号を測定してこれに対する信号処理を行った後、近距離無線通信モジュールを通じて伝送する、ネックレス状の生体信号測定装置と、伝送される生体信号を信号処理して保存した後、これに対応する生体指数を算出して生体信号に対するモニタリングサービスを提供し、すでに保存されている生体指数と比較してそれに対応する健康管理案内サービスを選択提供するポータブル端末装置とを含む。【選択図】図１
2009136666.tif 000002
【特許請求の範囲】
【請求項１】
生体信号を測定してこれに対応する健康管理サービスを提供する生体信号測定システムであって、
各種生体信号を測定してこれに対する信号処理を行った後、近距離無線通信モジュールを通じて伝送する、ネックレス状の生体信号測定装置と、
前記伝送される生体信号を信号処理して保存した後、これに対応する生体指数を算出して前記生体信号に対するモニタリングサービスを提供し、すでに保存されている生体指数と比較してそれに対応する健康管理案内サービスを選択提供するポータブル端末装置と、
を含む生体信号測定システム。
【請求項２】
前記生体信号測定装置は、
前記各種生体信号をそれぞれ測定してそれぞれ伝送する複数のセンサー部と、
前記それぞれ伝送される生体信号をそれぞれアナログ信号処理する複数のアナログ回路部と、
前記アナログ信号処理された生体信号をデジタル信号に変換するＡＤコンバータ部と、
前記変換された生体信号を前記近距離無線通信モジュールを通じて前記ポータブル端末装置に伝送する第１無線通信部と、
前記各種生体信号の測定と、前記アナログ信号処理と、前記デジタル信号への変換と、前記生体信号の伝送を制御する第１制御部と、
を含むことを特徴とする請求項１に記載の生体信号測定システム。
【請求項３】
前記生体信号測定装置は、
前記第１制御部に動作キー信号が入力されると、前記第１制御部の制御により各構成部に電力を供給する電源部を更に含むことを特徴とする請求項２に記載の生体信号測定システム。
【請求項４】
前記複数のアナログ回路部は、
前記生体信号を増幅する増幅器と、
前記増幅した生体信号をフィルタリングするためのフィルターと、
を含むことを特徴とする請求項３に記載の生体信号測定システム。
【請求項５】
前記近距離無線通信モジュールは、
ブルートゥース（Ｂｌｕｅｔｏｏｔｈ）、またはジグビー（Ｚｉｇｂｅｅ）を含むＢＡＮ（Ｂｏｄｙ Ａｒｅａ Ｎｅｔｗｏｒｋ）基盤の無線通信モジュールであることを特徴とする請求項４に記載の生体信号測定システム。
【請求項６】
前記ポータブル端末装置は、
前記生体信号測定装置から伝送される生体信号を前記近距離無線通信モジュールを通じて受信する第２無線通信部と、
前記受信された生体信号を信号処理する生体信号処理部と、
前記信号処理された生体信号に対応する前記生体指数を算出する生体指数算出部と、
前記生体信号の受信と、前記生体信号の信号処理と、前記生体指数の算出を制御し、前記生体信号と前記生体指数を用いた前記モニタリングサービスの提供を制御し、前記すでに保存された生体指数と比較して前記健康管理案内サービスの選択提供を制御する第２制御部と、
前記健康管理案内サービスの選択制御により警告メッセージと警告アラームのうちの少なくともいずれか１つを出力する映像／音声処理部と、
を含むことを特徴とする請求項１ないし５のいずれか１項に記載の生体信号測定システム。
【請求項７】
前記ポータブル端末装置は、
前記生体信号と前記生体指数を保存管理する保存部を更に含むことを特徴とする請求項６に記載の生体信号測定システム。
【請求項８】
前記生体信号は、
心電図、呼吸信号、体温、加速度信号のうちの少なくともいずれか１つを含むことを特徴とする請求項７に記載の生体信号測定システム。
【請求項９】
前記生体指数は、
前記生体信号に対応する脈拍、呼吸数、活動量、体温のうちの少なくともいずれか１つを含むことを特徴とする請求項８に記載の生体信号測定システム。
【請求項１０】
生体信号を測定して提供する生体信号測定システムを用いて健康管理サービスを提供する方法であって、
ネックレス型生体信号測定装置の動作キーが入力されると、各構成部に電力を供給して各種生体信号を測定する段階と、
前記測定された各種生体信号に対するアナログ信号処理とデジタル信号変換を行い近距離無線通信モジュールを通じてポータブル端末装置に伝送する段階と、
前記伝送された生体信号を信号処理した後、これに対応する生体指数を算出する段階と、
前記生体信号と前記生体指数を用いて前記生体信号に対するモニタリングサービスを提供する段階と、
前記生体指数をすでに保存された生体指数と比較した後、健康管理案内サービスを選択提供する段階と、
を含む生体信号測定システムを用いた健康管理サービス方法。
【請求項１１】
前記健康管理サービス方法は、
前記アナログ信号処理時に前記生体信号を増幅した後、前記増幅した生体信号に対するフィルタリングを行なうことを特徴とする請求項１０に記載の健康管理サービス方法。
【請求項１２】
前記近距離無線通信モジュールは、
ブルートゥース（Ｂｌｕｅｔｏｏｔｈ）、またはジグビー（Ｚｉｇｂｅｅ）を含むＢＡＮ（Ｂｏｄｙ Ａｒｅａ Ｎｅｔｗｏｒｋ）基盤の無線通信モジュールであることを特徴とする請求項１１に記載の健康管理サービス方法。
【請求項１３】
前記モニタリングサービスは、
前記生体信号と前記生体指数をディスプレイする方式で提供されることを特徴とする請求項１２に記載の健康管理サービス方法。
【請求項１４】
前記健康管理案内サービスは、
前記生体指数が前記すでに保存されている生体指数の正常範囲でない場合に提供されることを特徴とする請求項１０ないし１３のいずれか１項に記載の健康管理サービス方法。
【請求項１５】
前記健康管理案内サービスは、
前記正常範囲でない場合に警告メッセージと警告アラームのうちの少なくともいずれか１つを提供することを特徴とする請求項１４に記載の健康管理サービス方法。
【請求項１６】
前記生体信号は、
心電図、呼吸信号、体温、加速度信号のうちの少なくともいずれか１つを含むことを特徴とする請求項１５に記載の健康管理サービス方法。
【請求項１７】
前記生体指数は、
前記生体信号に対応する脈拍、呼吸数、活動量、体温のうちの少なくともいずれか１つを含むことを特徴とする請求項１６に記載の健康管理サービス方法。
【発明の詳細な説明】
【技術分野】
【０００１】
本発明は、生体信号測定システムに関し、より詳しくは、生体信号測定を通じて健康管理サービスを提供するのに好適な生体信号測定システム及びこれを利用した健康管理サービス方法に関する。
【０００２】
本発明は、情報通信部及び情報通信研究振興院のIT新成長動力核心技術開発事業の一環として行った研究から導出されたものである（課題管理番号：2005-S-069-03、課題名：生体情報処理基盤ウェアラブルシステム技術開発）。
【背景技術】
【０００３】
周知のように、ユビキタス（Ｕｂｉｑｕｉｔｏｕｓ）とは、ユーザがネットワークやコンピュータを意識することなく場所を問わずに自由にネットワークに接続できる情報通信環境を意味するが、このようなユビキタス関連技術は、人間生活のあらゆる分野に適用することが可能である。
【０００４】
特に、近年はウェルビーイング（Ｗｅｌｌ−Ｂｅｉｎｇ）現象に伴い、ユビキタスヘルスケア（Ｕ−Ｈｅａｌｔｈ Ｃａｒｅ）が、注目される技術分野として脚光を浴びているが、ユビキタスヘルスケアとは、人間の生活空間の様々なところに医療サービス用のチップやセンサーを設置することで、全ての人がいつでもどこでも自然に医療サービスの提供を受けることができるようにするユビキタス技術を意味する。このようなユビキタスヘルスケアによれば、各種の健診や疾病管理、応急管理、医者との面談などといった病院でのみ行われていた医療関連の行為を、病院へ行かずに自然に日常生活の中で実施することができる。
【０００５】
例えば糖尿病患者の場合、血糖値の管理プログラムが搭載された血糖値管理用のベルトを着用し、ベルトに取り付けてある血糖値センサーによって随時糖尿病患者の血糖値をチェックし、それに応じてインシュリンの量を算出することができ、糖尿病患者の血糖値が急激に低かったり高かったりした場合にその血糖値の情報を主治医に無線通信網を通じて提供することができ、血糖値の情報の提供を受けた主治医は、緊急の状況の場合に最適な処方や措置を取ることができる。
【０００６】
このようなユビキタスヘルスケアの一例として、現在、心電図、体脂肪、または脈拍などの各種の生体信号を測定することができる携帯器機が開発され使用されている。
【０００７】
一方、従来の生体信号を測定するシステムについて説明すると、特許文献１では、圧力センサーと心電図測定器を通じて脈拍と心電図測定信号を取得して両信号間の相関関係を分析し、分析したデータに基づいて最高血圧と最低血圧を演算しディスプレイする構成を開示しており、特許文献２では、心電図または体脂肪や脈拍信号を測定できる測定機器を携帯機器に結合させることでいつでもどこでもユーザが自身の生体健康情報を得られるようにした構成を開示している。
【特許文献１】：韓国公開特許公報第10-2004-0020584号
【特許文献２】：韓国公開特許公報第10-2005-0008972号
【発明の開示】
【発明が解決しようとする課題】
【０００８】
しかし、従来の生体信号測定システムでは、上述したように特定の生体信号測定機器を備えていないと、脈拍と心電図などの生体信号を測定してこれを用いた健康管理サービスを提供することができないため、ユーザがこれを日常生活において不都合なく使い、これを用いて健康管理サービスの提供を受けるのに不便があった。
【０００９】
そこで、本発明は、ネックレス状の測定装置を用いて生体信号を測定及び提供することができる生体信号測定システム及びこれを用いた健康管理サービス方法を提供する。
【００１０】
また、本発明は、ネックレス状の生体信号測定装置を用いて測定及び提供された生体信号を用いて健康管理案内サービスを提供することができる生体信号測定システム及びこれを用いた健康管理サービス方法を提供する。
【課題を解決するための手段】
【００１１】
前記課題を解決するため、本発明の好ましい実施形態によれば、生体信号を測定してこれに対応する健康管理サービスを提供する生体信号測定システムであって、各種生体信号を測定してこれに対する信号処理を行った後、近距離無線通信モジュールを通じて伝送する、ネックレス状の生体信号測定装置と、前記伝送される生体信号を信号処理して保存した後、これに対応する生体指数を算出して前記生体信号に対するモニタリングサービスを提供し、すでに保存されている生体指数と比較してそれに対応する健康管理案内サービスを選択提供するポータブル端末装置とを含む生体信号測定システムを提供する。
【００１２】
本発明の他の好ましい実施形態によれば、生体信号を測定して提供する生体信号測定システムを用いて健康管理サービスを提供する方法であって、ネックレス型生体信号測定装置の動作キーが入力されると、各構成部に電力を供給して各種生体信号を測定する段階と、前記測定された各種生体信号に対するアナログ信号処理とデジタル信号変換を行い近距離無線通信モジュールを通じてポータブル端末装置に伝送する段階と、前記伝送された生体信号を信号処理した後、これに対応する生体指数を算出する段階と、前記生体信号と前記生体指数を用いて前記生体信号に対するモニタリングサービスを提供する段階と、前記生体指数をすでに保存された生体指数と比較した後、健康管理案内サービスを選択提供する段階とを含む生体信号測定システムを用いた健康管理サービス方法を提供する。
【発明の効果】
【００１３】
本発明は、特定の生体信号測定器機を通じて生体信号を測定し、これを用いた健康管理サービスを提供する従来の方法とは異なり、ネックレス型生体信号測定装置の動作キーが入力されると、各構成部に電力を供給して各種生体信号を測定し、測定された各種生体信号に対するアナログ信号処理とデジタル信号変換を行なって近距離無線通信モジュールを介してポータブル端末装置に伝送し、伝送された生体信号を信号処理した後にこれに対応する生体指数を算出した後、生体信号と生体指数を用いて生体信号に対するモニタリングサービスを提供し、生体指数をすでに保存されている生体指数と比較した後、健康管理案内サービスを選択提供するもので、ネックレス状の生体信号測定装置を用いて日常生活において不都合なく、且つ自覚することなく生体信号を測定することができ、これを用いた健康管理サービスを效果的に提供することができるため、ユーザの使い勝手を向上させることができる。
【発明を実施するための最良の形態】
【００１４】
本発明の技術の要旨は、ネックレス状の生体信号測定装置の動作キーが入力されると、各構成部に電力を供給し、これによってそれぞれのセンサーを通じて生体信号を測定した後にこれを信号処理し、この生体信号をポータブル端末装置に近距離無線通信を通じて伝送し、生体信号を受信してポータブル端末装置に保存した後に生体信号処理及び生体指数を算出し、正常範囲から外れた値の場合、警告メッセージまたは警告アラームの健康管理案内サービスを提供するというものであり、このような技術的手段を通じて、従来技術における問題点を解決することができる。
【００１５】
以下、添付の図面を参照して本発明の望ましい実施形態について詳細に説明する。
【００１６】
＜実施の形態＞
図１は、本発明に係るネックレス型生体信号測定装置を通じて測定された生体信号を用いて健康管理サービスを提供するのに好適な生体信号測定システムのブロック構成図であり、生体信号測定装置１００とポータブル端末装置２００を含む。ここで、生体信号測定装置１００は、第１制御部１０２、電源部１０４、第１センサー部−第ｎセンサー部（１０６／１−１０６／ｎ）、第１アナログ回路部−第ｎアナログ回路部（１０８／１−１０８／ｎ）、ＡＤコンバータ部（Ａｎａｌｏｇ Ｄｉｇｉｔａｌ Ｃｏｎｖｅｒｔｏｒ、１１０）、及び第１無線通信部１１２を含み、ポータブル端末装置２００は、第２制御部２０２、第２無線通信部２０４、保存部２０８、生体信号処理部２０６、生体指数算出部２１０、及び映像／音声処理部２１２を含む。
【００１７】
図１を参照するに、生体信号測定装置１００は、動作キーが入力されると、各構成部に電力を供給して動作させ、各センサーを通じて生体信号（例えば、心電図、呼吸信号、体温、加速度信号など）をそれぞれ測定した後、これに対するアナログ信号処理をそれぞれ行った後に、このアナログ信号をデジタル信号に変換して、デジタル信号に変換された生体信号を近距離無線通信モジュールを通じてポータブル端末装置２００に伝送する。
【００１８】
ここで、生体信号測定装置１００について詳しく説明すると、第１制御部１０２は、生体信号測定装置１００の全般的な動作制御を行うものであり、待機状態でユーザが生体信号測定装置１００の動作ボタンなどを押した場合、これによって発生する動作キー信号が入力されると、電源部１０４に電力供給のための制御信号を提供して生体信号測定装置１００を動作させた後、第１センサー部−第ｎセンサー部（１０６／１−１０６／ｎ）に測定制御信号を提供し、測定された各生体信号に対するアナログ信号処理制御信号を第１アナログ回路部（１０８／１−１０８／ｎ）に提供する。
【００１９】
また、第１制御部１０２は、アナログ信号処理された各生体信号をデジタル信号に変換するための制御信号をＡＤコンバータ部１１０に提供し、これによってデジタル信号に変換された生体信号が伝送され、これを第１無線通信部１１２を通じてポータブル端末装置２００に伝送するように制御する。
【００２０】
そして、電源部１０４は、動作キー信号の入力により第１制御部１０２から電力供給制御信号が提供されると、第１センサー部−第ｎセンサー部（１０６／１−１０６／ｎ）、第１アナログ回路部−第ｎアナログ回路部（１０８／１−１０８／ｎ）、ＡＤコンバータ部１１０、及び第１無線通信部１１２に電力を供給する。
【００２１】
次に、第１センサー部−第ｎセンサー部（１０６／１−１０６／ｎ）は、心電図、呼吸信号、体温、加速度信号などを測定するセンサーを含み、第１制御部１０２から提供される測定制御信号によりこのような多様な測定センサーを通じてそれぞれの生体信号を測定した後、このようなそれぞれの生体信号を第１アナログ回路部−第ｎアナログ回路部（１０８／１−１０８／ｎ）に伝送する。
【００２２】
また、第１アナログ回路部−第ｎアナログ回路部（１０８／１−１０８／ｎ）は、増幅器、フィルターなどを含んでアナログ信号処理するものであり、第１制御部１０２から提供されるアナログ信号処理制御信号により第１センサー部−第ｎセンサー部（１０６／１−１０６／ｎ）から伝送される心電図、呼吸信号、体温、加速度信号などに対する生体信号をそれぞれ増幅し、フィルタリングする方式でアナログ信号処理した後、ＡＤコンバータ部１１０に伝送する。
【００２３】
そして、ＡＤコンバータ部１１０は、アナログ信号をデジタル信号に変換するものであり、第１制御部１０２から提供される信号変換制御信号により第１アナログ回路部−第ｎアナログ回路部（１０８／１−１０８／ｎ）から伝送される生体信号をデジタル信号に変換して第１制御部１０２に伝送する。
【００２４】
次に、第１無線通信部１１２は、近距離無線通信、例えば、ブルートゥース（Ｂｌｕｅｔｏｏｔｈ）、ジグビー（Ｚｉｇｂｅｅ）などを含んでＢＡＮ（Ｂｏｄｙ Ａｒｅａ Ｎｅｔｗｏｒｋ）基盤の無線通信を行うことで、第１制御部１０２の制御により、生体信号測定装置１００とポータブル端末装置２００との間の無線データ通信（例えば、生体信号送信など）を行なう。
【００２５】
一方、ポータブル端末装置２００は、移動通信端末機、ＰＤＡなどを含み、生体信号、生体指数などをモニタリングするモニタリングサービス、健康管理案内サービスを提供するものであり、生体信号測定装置１００から近距離無線通信モジュールを通じて伝送される生体信号を受信して信号処理した後、これを保存し、これに対する生体指数を測定して正常範囲の値であるかどうかをチェックした後、正常範囲の値から外れている場合、警告メッセージまたは警告アラームの健康管理案内サービスを提供する。
【００２６】
ここで、ポータブル端末装置２００を更に詳しく説明すると、第２制御部２０２は、ポータブル端末装置２００の全般的な動作制御を行うことで、第２無線通信部２０４を通じて生体信号が受信されると、これに対する信号処理制御信号を生体信号処理部２０６に提供して、生体信号に対応する生体指数を算出するための制御信号を生体指数算出部２１０に提供し、算出された生体指数が保存部２０８にすでに保存されている正常範囲の値であるかどうかをチェックした後、正常範囲の値でない場合（すなわち、正常範囲の値から外れている場合）これに対する警告メッセージをディスプレイしたり警告アラームを出力したりするための制御信号を映像／音声処理部２１２に提供する。このとき、第２制御部２０２では、伝送される生体指数を用いて生体信号に対するモニタリングサービス（例えば、生体信号ディスプレイ、生体指数ディスプレイなど）を提供することができる。
【００２７】
そして、第２無線通信部２０４は、近距離無線通信、例えば、ブルートゥース（Ｂｌｕｅｔｏｏｔｈ）、ジグビー（Ｚｉｇｂｅｅ）などを含んでＢＡＮ（Ｂｏｄｙ Ａｒｅａ Ｎｅｔｗｏｒｋ）基盤の無線通信を行うものであり、第２制御部２０２の制御により、生体信号測定装置１００とポータブル端末装置２００との間の無線データ通信（例えば、生体信号受信など）を行なう。
【００２８】
次に、生体信号処理部２０６は、第２制御部２０２から提供される信号処理制御信号により第２無線通信部２０４から伝送される生体信号を所定の信号処理段階を経て保存部２０８に保存し、このような生体信号を生体指数算出部２１０に伝送する。
【００２９】
一方、保存部２０８は、ポータブル端末装置２００の動作を行うための各種アプリケーションプログラムが保存され、それぞれの生体指数に対する正常範囲の値がそれぞれ保存されており、ポータブル端末装置２００の動作のため、または、生体指数の比較のために抽出されて第２制御部２０２に提供される。
【００３０】
また、生体指数算出部２１０は、第２制御部２０２から提供される生体指数算出制御信号により生体信号処理部２０６から伝送される生体信号（例えば、心電図、呼吸信号、体温、加速度信号など）を用いて脈拍、呼吸数、活動量、体温などの生体指数を算出して第２制御部２０２に伝送する。このような生体指数は、保存部２０８に保存管理することができる。
【００３１】
一方、映像／音声処理部２１２は、ＬＣＤなどの表示装置、スピーカーなどの出力装置などを含むものであり、第２制御部２０２から健康管理案内サービスに対する警告メッセージをＬＣＤなどの表示装置を通じてディスプレイしたり警告アラームをスピーカーなどの出力装置を通じて出力する。
【００３２】
上述したような生体信号測定システムの一例として、図２は、本発明に係るネックレス型生体信号測定装置を含む生体信号測定システムを例示した図であり、図３は、本発明に係る多様なネックレス型生体信号測定装置を例示した図であり、多様なネックレス型生体信号測定装置を通じて生体信号を測定し、これをポータブル端末装置に伝送してそれに対するモニタリングサービス、健康管理案内サービスなどを行なうことができることが分かる。
【００３３】
従って、ネックレス型生体信号測定装置を通じて測定された生体信号に対してアナログ信号処理を行った後、デジタル信号に変換してその生体信号を近距離無線通信モジュールを通じてポータブル端末装置に伝送し、これに対する生体信号処理及び生体指数算出を通じて、生体信号に対応するモニタリングサービス及び健康管理案内サービスを提供することができる。
【００３４】
次に、上述のような構成を有する生体信号測定システムにおいて、動作キーの入力により電力を供給して各センサーを通じてそれぞれの生体信号を測定し、これに対するアナログ信号処理、デジタル信号変換などの段階を経てポータブル端末装置に伝送し、これに対する生体信号処理及び生体指数算出を通じて、正常範囲の値でない場合に警告のための健康管理案内サービスを提供する段階について説明する。
【００３５】
図４は、本発明に係るネックレス型生体信号測定装置を通じて測定された生体信号を用いて健康管理サービスを提供する段階を示すフローチャートである。
【００３６】
図４を参照するに、ネックレス型生体信号測定装置１００及びポータブル端末装置２００を含む生体信号測定システムの待機モードにおいて（段階４０２）、第１制御部１０２では、ユーザが生体信号測定装置１００の動作ボタンなどを押したときに発生する動作キー信号が入力されたかどうかをチェックする（段階４０４）。
【００３７】
前記段階４０４でのチェックの結果、動作キー信号が入力された場合、第１制御部１０２では、電力供給制御信号を電源部１０４に提供し、これによって電源部１０４では、第１センサー部−第ｎセンサー部（１０６／１−１０６／ｎ）、第１アナログ回路部−第ｎアナログ回路部（１０８／１−１０８／ｎ）、ＡＤコンバータ部１１０、及び第１無線通信部１１２の各構成部に電力を供給する（段階４０６）。
【００３８】
そして、第１センサー部−第ｎセンサー部（１０６／１−１０６／ｎ）では、心電図、呼吸信号、体温、加速度信号などを測定するセンサーを通じてそれぞれの生体信号を測定した後、このようなそれぞれの生体信号を第１アナログ回路部−第ｎアナログ回路部（１０８／１−１０８／ｎ）に伝送する（段階４０８）。
【００３９】
次に、第１アナログ回路部−第ｎアナログ回路部（１０８／１−１０８／ｎ）では、第１センサー部−第ｎセンサー部（１０６／１−１０６／ｎ）から伝送される心電図、呼吸信号、体温、加速度信号などに対する生体信号をそれぞれ増幅器を通じて増幅し、各種フィルターを通じてフィルタリングする方式でアナログ信号処理した後、ＡＤコンバータ部１１０に伝送し、ＡＤコンバータ部１１０では、このような生体信号をデジタル信号に変換して第１制御部１０２に伝送する（段階４１０）。
【００４０】
そして、第１制御部１０２では、ＡＤコンバータ部１１０から伝送されるデジタル信号変換された生体信号を第１無線通信部１１２を通じてポータブル端末装置２００に伝送する（段階４１２）。
【００４１】
一方、ポータブル端末装置２００の第２無線通信部２０４を通じて受信された生体信号は、生体信号処理部２０６に伝送され、生体信号処理部２０６では、所定の信号処理段階を行った後、これを保存部２０８に保存するとともに生体指数算出部２１０に伝送する（段階４１４）。
【００４２】
そして、生体指数算出部２１０では、生体信号処理部２０６から伝送される生体信号（例えば、心電図、呼吸信号、体温、加速度信号など）を用いて脈拍、呼吸数、活動量、体温などの生体指数を算出して第２制御部２０２に伝送する（段階４１６）。ここで、生体指数算出部２１０を通じて算出された生体指数は、保存部２０８に保存管理することが可能である。
【００４３】
一方、第２制御部２０２では、生体指数算出部２１０から伝送される生体指数を、保存部２０８から抽出したすでに保存されている生体指数と比較して正常範囲の値であるかどうかをチェックする（段階４１８）。このとき、第２制御部２０２では、伝送される生体指数を用いて生体信号に対するモニタリングサービス（例えば、生体信号ディスプレイ、生体指数ディスプレイなど）を提供することができる。
【００４４】
前記段階４１８でのチェックの結果、正常範囲の値の場合は、生体信号測定システムの健康管理サービスのために段階４０８以降の段階を持続的に遂行し、正常範囲の値ではない場合は、第２制御部２０２からこれに対する警告メッセージまたは警告アラームを提供するための制御信号を映像／音声処理部２１２に提供し、これによって映像／音声処理部２１２では、警告メッセージをＬＣＤなどの表示装置にディスプレイする健康管理案内サービスを行なうか、警告アラームをスピーカーなどの出力装置に出力する健康管理案内サービスを行なう（段階４２０）。もちろん、警告メッセージ及び警告アラームを同時に提供することも可能である。
【００４５】
したがって、ネックレス型生体信号測定装置を用いて各測定センサーを通じて測定された生体信号を、アナログ信号処理及びデジタル信号処理した後、これをポータブル端末装置に伝送し、これに対する生体信号処理及び生体指数算出を通じて、生体信号に対するモニタリングサービスを提供することができ、すでに保存されている生体指数との比較を通じて、選択的に健康管理案内サービスを提供することができる。
【００４６】
以上の説明では、本発明の望ましい実施形態を提示し説明したが、本発明は、必ずしもこれに限定されるものではなく、本発明が属する技術分野において通常の知識を有する者であれば、本発明の技術的思想を逸脱しない範囲内で様々な変形及び変更が可能であることは容易に理解されよう。
【図面の簡単な説明】
【００４７】
【図１】本発明に係るネックレス型生体信号測定装置を通じて測定された生体信号を用いて健康管理サービスを提供するのに好適な生体信号測定システムのブロック構成図。
【図２】本発明に係るネックレス型生体信号測定装置を含む生体信号測定システムを例示した図。
【図３】本発明に係る多様なネックレス型生体信号測定装置を例示した図。
【図４】本発明に係るネックレス型生体信号測定装置を通じて測定された生体信号を用いて健康管理サービスを提供する段階を示すフローチャート。
【符号の説明】
【００４８】
１００    生体信号測定装置
１０２    第１制御部
１０４    電源部
１０６／１−１０６／ｎ     第１センサー部−第ｎセンサー部
１０８／１−１０８／ｎ    第１アナログ回路部−第 ｎ アナログ回路部
１１０    ＡＤコンバータ部
１１２    第１無線通信部
２００     ポータブル端末装置
２０２    第２制御部
２０４    第２無線通信部
２０６    生体信号処理部
２０８    保存部
２１０    生体指数算出部
２１２    映像／音声処理部
【図１】
2009136666.tif 000003
【図２】
2009136666.tif 000004
【図３】
2009136666.tif 000005
【図４】
2009136666.tif 000006